(57)【要約】【課題】複数の記録された静止画と音声とを組み合わせて静止画の音付きスライドショーを手軽に作成することができるデジタルカメラを提供する。【解決手段】メモリカードに記録されている静止画ファイルの静止画を静止画再生手段で再生させ、再生された静止画をＬＣＤパネルで表示し、静止画選択手段で、表示された複数の静止画の中からスライドショーに使用する静止画を選択する。一方で、記録されている音声ファイルの音声を音声再生手段で再生させ、音声ファイルの音声シーケンスの複数箇所に選択された静止画を挿入手段でそれぞれ挿入し、音声シーケンスに静止画を挿入したスライドショーデータを静止画音声表示手段でＬＣＤパネルに表示させる。【選択図】  図５
2004297424.tif 000002
【特許請求の範囲】
【請求項１】
デジタルカメラであって、
記録されている静止画ファイルの静止画を再生させる静止画再生手段と、
前記再生された静止画を表示する表示部と、
前記表示された複数の静止画の中からスライドショーに使用する静止画を選択する静止画選択手段と、
記録されている音声ファイルの音声を再生させる音声再生手段と、
前記音声ファイルの音声シーケンスの複数箇所に前記選択された静止画をそれぞれ挿入する挿入手段と、
前記音声シーケンスに前記静止画を挿入したスライドショーデータを前記表示部に表示させる静止画音声表示手段と、からなるデジタルカメラ。
【請求項２】
前記挿入手段は、前記音声シーケンスに、複数の静止画を挿入するためのインデックスを挿入するインデックス挿入手段を有する請求項１のデジタルカメラ。
【請求項３】
前記デジタルカメラは、前記音声ファイルの音声シーケンスの複数箇所に前記選択された静止画をそれぞれ挿入したファイルを作成するファイル作成手段と、前記作成したファイルを保存する保存手段と、を有する請求項１のデジタルカメラ。
【請求項４】
前記挿入手段は、前記音声シーケンスに異なる時間間隔で前記選択された静止画をそれぞれ挿入する請求項１のデジタルカメラ。
【請求項５】
前記デジタルカメラは音声入力手段を有し、当該音声入力手段によって入力されて記録された音声ファイルの音声を前記音声再生手段で再生させる請求項１のデジタルカメラ。
【請求項６】
デジタルカメラにおいて静止画のスライドショーを作成するスライドショー作成方法であって、
記録されている静止画ファイルの静止画を再生させるステップと、
前記再生された静止画を表示するステップと、
前記表示された複数の静止画の中からスライドショーに使用する静止画を選択するステップと、
記録されている音声ファイルの音声を再生するステップと、
前記音声ファイルの音声シーケンスの複数箇所に前記選択された静止画をそれぞれ挿入して音付きスライドショーを作成するステップと、からなるスライドショー作成方法。
【発明の詳細な説明】
【０００１】
【発明の属する技術分野】
本発明は、撮像機能及び音響機能を有するデジタルカメラに関する。
【０００２】
【従来の技術】
従来、カメラで撮影された画像からＢＧＭ付きスライド（以下、「音付きスライドショー」という）を作成することは、パソコンなどの大型機器で専用のソフトウエアを用いて行われてきた。
【０００３】
一方、最近のデジタルカメラは小型化してきており、旅行や出張などに容易に携帯可能であって、ユーザも現に旅行等に手軽に持参している。また、近年のデジタルカメラは音響機能を有したものが数多く出回るようになっている。
【０００４】
デジタルカメラで撮影した静止画を音付きスライドショーにして保管しておきたいと思うユーザは多いが、旅行等から帰宅してからパソコンで整理して音付きスライドショーを作成するのは煩わしいというユーザは多く存在し、撮影した静止画を現地や車中など、自宅以外の場所でデジタルカメラ自身で音付きスライドショー化したいというニーズが大きくなってきている。
【０００５】
下記特許文献１は、音声録音中に静止画を撮影するデジタルカメラを開示しており、撮影した静止画と過去に記録された音声ファイルとを結合する機能は開示していない。
【０００６】
【特許文献１】
特表２００１−５０１４１６号公報
【０００７】
【発明が解決しようとする課題】
本発明は、上記の事情を考慮し、複数の記録された静止画と音声とを組み合わせて静止画の音付きスライドショーを手軽に作成することができるデジタルカメラを提供することを目的とする。
【０００８】
【課題を解決するための手段】
請求項１の本発明は、デジタルカメラであって、
記録されている静止画ファイルの静止画を再生させる静止画再生手段と、
前記再生された静止画を表示する表示部と、
前記表示された複数の静止画の中からスライドショーに使用する静止画を選択する静止画選択手段と、
記録されている音声ファイルの音声を再生させる音声再生手段と、
前記音声ファイルの音声シーケンスの複数箇所に前記選択された静止画をそれぞれ挿入する挿入手段と、
前記音声シーケンスに前記静止画を挿入したスライドショーデータを前記表示部に表示させる静止画音声表示手段と、からなるデジタルカメラ、からなる。
【０００９】
請求項１の本発明によれば、記録されている静止画ファイルの静止画を静止画再生手段で再生させ、再生された静止画を表示部で表示し、静止画選択手段で前記表示された複数の静止画の中からスライドショーに使用する静止画を選択する。一方で、記録されている音声ファイルの音声を音声再生手段で再生させ、前記音声ファイルの音声シーケンスの複数箇所に前記選択された静止画を挿入手段でそれぞれ挿入し、前記音声シーケンスに前記静止画を挿入したスライドショーデータを静止画音声表示手段で前記表示部に表示させる。
【００１０】
請求項２の本発明は、前記挿入手段は、前記音声シーケンスに、複数の静止画を挿入するためのインデックスを挿入するインデックス挿入手段を有する請求項１のデジタルカメラ、からなる。
【００１１】
請求項２の本発明によれば、インデックス挿入手段は前記音声シーケンスに、複数の静止画を挿入するためのインデックスを挿入する。
【００１２】
請求項３の本発明は、前記デジタルカメラは、前記音声ファイルの音声シーケンスの複数箇所に前記選択された静止画をそれぞれ挿入したファイルを作成するファイル作成手段と、前記作成したファイルを保存する保存手段と、を有する請求項１のデジタルカメラ、からなる。
【００１３】
請求項３の本発明によれば、ファイル作成手段によって前記音声ファイルの音声シーケンスの複数箇所に前記選択された静止画をそれぞれ挿入したファイルが作成され、保存手段によって前記作成したファイルが保存される。
【００１４】
請求項４の本発明は、前記挿入手段は、前記音声シーケンスに異なる時間間隔で前記選択された静止画をそれぞれ挿入する請求項１のデジタルカメラ、からなる。
【００１５】
請求項４の本発明によれば、前記選択された静止画が前記挿入手段によって前記音声シーケンスに異なる時間間隔でそれぞれ挿入されるため、異なる音声長さに応じて画像が表示される。
【００１６】
請求項５の本発明は、前記デジタルカメラは音声入力手段を有し、当該音声入力手段によって入力されて記録された音声ファイルの音声を前記音声再生手段で再生させる請求項１のデジタルカメラ、からなる。
【００１７】
請求項５の本発明によれば、デジタルカメラの音声入力手段によって入力されて記録された音声ファイルの音声を前記音声再生手段で再生させるので、デジタルカメラのみで音声の取得が可能である。
【００１８】
請求項６の本発明は、デジタルカメラにおいて静止画のスライドショーを作成するスライドショー作成方法であって、
記録されている静止画ファイルの静止画を再生させるステップと、
前記再生された静止画を表示するステップと、
前記表示された複数の静止画の中からスライドショーに使用する静止画を選択するステップと、
記録されている音声ファイルの音声を再生するステップと、
前記音声ファイルの音声シーケンスの複数箇所に前記選択された静止画をそれぞれ挿入して音付きスライドショーを作成するステップと、からなるスライドショー作成方法、からなる。
【００１９】
請求項６の本発明によれば、デジタルカメラにおいて、記録されている静止画ファイルの静止画を再生させて表示させ、表示された複数の静止画の中からスライドショーに使用する静止画をユーザの選択操作によって選択する。一方、デジタルカメラにおいて、記録されている音声ファイルの音声を再生し、前記音声ファイルの音声シーケンスの複数箇所に前記選択された静止画をユーザの操作によってそれぞれ挿入して音付きスライドショーを作成する。
【００２０】
【発明の実施の形態】
以下、添付図面に従って本発明の実施の形態に係るデジタルカメラについて詳説する。
【００２１】
図１（ａ）は、本発明の実施形態に係るデジタルカメラ１０の正面斜視図、図１（ｂ）はその背面斜視図である。
【００２２】
このカメラ１０は、音声の記録再生が可能なデジタルカメラであり、カメラ前面には沈胴式の撮影レンズ１２、光学ファインダー５、ストロボユニット２、スピーカ孔８が設けられている。撮影レンズ１２の後方には撮像素子としてのＣＣＤイメージセンサ（図１中不図示、図２中符号６８として記載、以下、ＣＣＤという。）が配置され、該ＣＣＤ６８から読み出された画像信号は所定の信号処理を経てデジタル画像データに変換される。
【００２３】
カメラ１０の上面にはレリーズスイッチ３が設けられている。レリーズスイッチ３は、画像や音声の記録開始を指示する手段であり、動画の録画開始／停止ボタン、録音の開始／停止ボタンとして兼用される。
【００２４】
カメラ１０の裏面にはマイク孔９、光学ファインダー５、パワー及びモードスイッチ７、選択スイッチ３００、バックボタン３０２、メニュー／ＯＫボタン３０４、ＬＣＤパネル４が設けられている。
【００２５】
パワー及びモードスイッチ７は、電源ＯＮ／ＯＦＦ手段であると共に撮影系モードが選択されている場合に、連写、マニュアル撮影、オート撮影、シーンポジション、動画、音声レコーダ、ボイスメモの各モードを選択するための手段である。
【００２６】
シーンポジションモードでは、メニュー／ＯＫボタン３０４によるメニュー操作によって、人物（ポートレート）モード、風景モード、夜景モード、モノクロモードを選択できる。撮影状況に応じてこれらモードを利用することにより、撮影シーンに適した設定が自動的に行われる。
【００２７】
音声レコーダモードは、音声のみを記録するモードである。
【００２８】
本カメラ１０は、静止画の撮影後にその画像と関連付けて音声を記録することができるボイスメモ機能を有している。
【００２９】
ＬＣＤパネル４は、カラー液晶ディスプレイで構成されており、ＣＣＤ６８を介して取り込まれる画像やメモリカード（図３中符号９４として記載）から読み出した再生画像が表示されるとともに、モード情報、電池残量警告、撮影日時、標準撮影可能枚数、再生コマ番号、再生画像サムネイルなどの各種情報も表示される。また、各種のメニュー表示、メニューの選択や各メニューにおける各種設定項目の設定等もＬＣＤパネル４の表示画面を用いて行われる。
【００３０】
パワー及びモードスイッチ７は、撮影・録音系モードと再生系モードを選択的に切り換えるための手段である。再生系モードでは、通常の再生モード、スライドショー作成モードを行うことができる。
【００３１】
選択スイッチ３００は、ＬＣＤパネル４に表示された画像コマなどの選択を行なったり、スライドショー用の音声選択を行なったりするためのスイッチである。上下左右に動かして選択対象を定める。スライドショーに使用する画像を選択する際にも使用し、各画像コマのスライド時間の選択の際にも使用する。
【００３２】
バックボタン３０２は、キャンセル操作や前画面に戻る操作をするためのボタンである。
【００３３】
メニュー／ＯＫボタン３０４は、メニューを表示させたり、ＬＣＤパネル４に表示させたメニューや画像コマを選択する際の実行ボタンの機能を有する。スライドショーに使用する画像を選択した後に、その画像のスライド表示順位を決定する際の決定ボタンとしても機能し、各画像コマのスライド時間の設定の際の実行ボタンとしても機能する。
【００３４】
図２にも示すように、マイク孔９（図１（ｂ））の内側には、マイク１１が構成されている。マイク１１は、本体が断面円形で末広がり形状のコーン１８を有し、コーン１８のカメラ１０正面側には磁石２０が結合され、磁石２０のまわりにはコイル２２が配設されている。この例ではコーン１８の広がり部がカメラ１０の背面側に向いた状態で配設されている。コーン１８はこの形状に限らず、円板状等でもよい。
【００３５】
図２にも示すように、スピーカ孔８（図１（ａ））の内側には、スピーカ２１１が構成されている。スピーカ２１１は、本体が断面円形で末広がり形状のコーン２１８を有し、コーン２１８のカメラ１０裏面側には磁石２２０が結合され、磁石２２０のまわりにはコイル２２２が配設されている。この例ではコーン２１８の広がり部がカメラ１０の表面側に向いた状態で配設されている。コーン２１８はこの形状に限らず、円板状等でもよい。
【００３６】
図２はカメラ１０のブロック図である。
【００３７】
撮影レンズ１２は、ズームレンズで構成されているが、単焦点レンズを用いてもよい。撮影レンズ１２を通過した光は、絞り６６によって光量が調節された後、ＣＣＤ６８に入射する。ＣＣＤ６８の受光面には、フォトセンサが平面的に配列されており、撮影レンズ１２を介してＣＣＤ６８の受光面に結像された被写体像は、各フォトセンサによって入射光量に応じた量の信号電荷に変換される。なお、ＣＣＤ６８は、シャッターゲートパルスのタイミングによって各フォトセンサの電荷蓄積時間（シャッタースピード）を制御する、いわゆる電子シャッター機能を有している。
【００３８】
各フォトセンサに蓄積された信号電荷は、ＣＣＤドライバ７０から与えられるパルスに基づいて信号電荷に応じた電圧信号（画像信号）として順次読み出される。ＣＣＤ６８から出力された画像信号は、アナログ処理部７２に送られる。アナログ処理部７２は、サンプリングホールド回路、色分離回路、ゲイン調整回路等の信号処理回路を含み、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。
【００３９】
アナログ処理部７２から出力された信号は、Ａ／Ｄ変換器７４によりデジタル信号に変換された後、内蔵バッファ７６を介してＲＡＭ７８に格納される。ＣＣＤドライバ７０、アナログ処理部７２及びＡ／Ｄ変換器７４には、タイミングジェネレータ７７からタイミング信号が与えられ、このタイミング信号によって各回路の同期がとられている。
【００４０】
ＲＡＭ７８に記憶された画像データは信号処理部８０へ送られる。信号処理部８０は、輝度・色差信号生成回路、ガンマ補正回路、シャープネス補正回路、コントラスト補正回路、ホワイトバランス補正回路等の画像信号処理回路及び音声信号処理回路を含むデジタルシグナルプロセッサ（ＤＳＰ）で構成された信号処理手段であり、ＣＰＵ８２からのコマンドに従って画像信号及び音声信号を処理する。信号処理部８０に入力された画像データは、輝度信号（Ｙ信号）及び色差信号（Ｃｒ，Ｃｂ  信号）に変換されるとともに、ガンマ補正等の所定の処理が施された後、ＲＡＭ７８に格納される。
【００４１】
撮影画像を表示出力する場合、ＲＡＭ７８に格納された輝度・色差信号（ＹＣ信号と略記する）は、バス８４を介してＶＲＡＭ８６に送られる。ＶＲＡＭ８６に記憶されたデータはエンコーダ８７に送られ、ここでキャラクタジェネレータ８８から供給される文字や記号のデータとともに表示用の所定方式の信号（例えば、ＮＴＳＣ方式のカラー複合映像信号）に変換される。
【００４２】
エンコーダ８７の出力はＤ／Ａ変換器８９を介してアナログ信号に変換された後、ＬＣＤパネル４に出力される。こうして、当該画像データの画像内容がＬＣＤパネル４の画面上に表示される。
【００４３】
ＣＣＤ６８から出力される画像信号によってＲＡＭ７８内の画像データが定期的に書き換えられ、その画像データから生成される映像信号がＬＣＤパネル４に供給されることにより、ＣＣＤ６８を介して入力される画像がリアルタイムにＬＣＤパネル４に表示される。撮影者は、ＬＣＤパネル４に映し出される画像（スルー画）、或いは光学ファインダー５によって撮影画角を確認できる。
【００４４】
パワー及びモードスイッチ７により撮影系モードが選択され、レリーズスイッチ３が押されると撮影開始指示（レリーズＯＮ）信号が発せられる。ＣＰＵ８２は、この指示信号の受入に応動して、記録用の画像データの取り込みを開始する。また、ＣＰＵ８２は圧縮伸張回路９０にコマンドを送り、これにより圧縮伸張回路９０は、ＲＡＭ７８上の画像データをＪＰＥＧその他の所定の形式に従って圧縮する。
【００４５】
圧縮された画像データは、カードインターフェース９２を介してメモリカード９４に記録される。本例のカメラ１０では、画像データや音声データを保存する手段として、例えばスマートメディア（Ｓｏｌｉｄ−Ｓｔａｔｅ  Ｆｌｏｐｐｙ  Ｄｉｓｋ  Ｃａｒｄ）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。また、データを保存する手段は、カメラ本体１に着脱可能なリムーバブルメディアに限らず、カメラ１０に内蔵された記録媒体（内部メモリ）であってもよい。
【００４６】
パワー及びモードスイッチ７によって撮影系モードでムービーモードが選択されたときには、音声付き動画の記録が可能となり、レリーズスイッチ３の押下によって録画動作がスタートし、もう一度レリーズスイッチ３を押下すると録画動作が停止する。レリーズスイッチ３を押下継続している期間、録画動作を行い、押下解除により録画を停止するようにしてもよい。１回の撮影で記録できる最長時間、画像サイズ、フレームレート及び記録方式などは予め定められており、例えば、１回の撮影で最長約８０秒の音声付きムービーを撮影でき、３２０  ×２４０  ピクセル、１０フレーム／秒、Ｍｏｔｉｏｎ  ＪＰＥＧ  形式によってメモリカード９４に記録される。
【００４７】
パワー及びモードスイッチ７によって再生系モードが選択されると、メモリカード９４に記録されている最終のファイル（最後に記録したファイル）が読み出される。最終のファイルが画像ファイルの場合は、その画像ファイル（動画の場合には最初の一コマ）の画像データは、圧縮伸張回路９０によって伸張処理され、ＶＲＡＭ８６、エンコーダ８７、Ｄ／Ａ変換器８９を介してＬＣＤパネル４に出力される。
【００４８】
この一コマ再生時に動画の先頭コマが表示されている状態で、所定の操作キーの押下によって音声付き動画の再生を開始させることができる。
【００４９】
最終ファイルが音声ファイルの場合には、ＬＣＤパネル４には音声ファイルであることを示す所定の絵柄（例えば、マイクロフォンがデザインされたビットマップ背景画、タイマーがデザインされたビットマップ背景画）が表示される。この表示画面で所定の操作キーの押下によって音声再生を開始させることができる。動画若しくは音声再生中に所定のキーを押すと、再生が中止される。
【００５０】
また、所定のキーを操作することにより、順方向又は逆方向にコマ送り（ファイル送り）することができ、コマ送りされた次のファイルがメモリカード９４から読み出され、上記と同様にして静止画、動画又は音声が再生される。
【００５１】
ＣＰＵ８２は、本カメラシステムを統括制御する制御部である。ＣＰＵ８２は、パワー及びモードスイッチ７、レリーズスイッチ３、選択スイッチ３００、バックボタン３０２、メニュー／ＯＫボタン３０４の操作による操作部から受入する入力信号に基づいて、対応する回路の動作を制御し、ＬＣＤパネル４における表示の制御、ストロボ発光制御、オートフォーカス（ＡＦ）制御及び自動露出（ＡＥ）制御等を行う。ＣＰＵ８２は、ＣＣＤ６８を介して入力された画像データに基づいて焦点評価演算やＡＥ演算などの各種演算を行い、その演算結果に基づいてレンズ駆動部１０６を制御して撮影レンズ１２を合焦位置に移動させる一方、図示せぬアイリス駆動部を制御して絞り６６を適正絞り値に設定するとともにＣＣＤ６８の電荷蓄積時間を制御する。また、操作部の操作に応じて音声ファイル再生中の音声シーケンスに画像データを挿入する制御も行う。
【００５２】
ＲＯＭ１０８にはＣＰＵ８２が処理するプログラム及び制御に必要な各種データ等が格納され、ＲＡＭ７８は画像処理領域の他、ＣＰＵ８２が各種の演算処理等を行う作業用領域を有する。ＥＥＰＲＯＭ（不揮発性メモリ）１１０には、各種設定情報などが格納される。
【００５３】
ストロボ装置１２０（図１中符号２に相当）は、ストロボ発光部１２１、ストロボ調光センサ１６、コンデンサ１２２、及びストロボ制御回路１２４から構成される。ストロボボタンの操作によって、低輝度時にストロボを自動的に発光させる「低輝度自動発光モード」、「赤目軽減モード」、被写体輝度にかかわらずストロボ発光させる「強制発光モード」、又はストロボ発光を禁止させる「発光禁止モード」などの各モードに設定可能である。
【００５４】
ＣＰＵ８２は、操作者が選択したストロボモードに応じて、撮影実行時にストロボ制御回路１２４にコマンドを与える。ストロボ制御回路１２４は、ＣＰＵ８２から加えられる指令に基づいてコンデンサ１２２の充電制御やストロボ発光部１２１（例えば、キセノン管）への放電（発光）タイミングを制御する。
【００５５】
ストロボ調光センサ１６は、ストロボ発光によって照らされる被写体からの反射光を受光し、受光量に応じた電気信号に変換する受光素子が用いられている。ストロボ調光センサ１６の検出信号は図示せぬ積分回路により積算され、積算受光量が所定の適正受光量に達した時にストロボの発光が停止される。
【００５６】
カメラ１０の電源は、バッテリ１２６又は電源入力端子に接続される図示せぬＡＣパワーアダプター等の外部電源を用いることができる。バッテリ１２６等から供給される電力は、ＤＣ／ＤＣコンバータを含む電源回路１２８によって所要の電圧に変換された後、各回路ブロックに電源供給される。
【００５７】
音声の記録について説明する。
【００５８】
まず、モードスイッチ７を音声レコーダモードに合わせる。レリーズスイッチ３の全押し（Ｓ２  ＯＮ）で録音を開始し、その後レリーズスイッチ３の半押し（Ｓ１  ＯＮ）で録音を停止する。録音時、図２において、音声がマイク孔９を通じてマイク１１に入力される。マイク１１はマイクとしての機能を有し、音声が入力されると、コーン１８が振動し、コーン１８に結合されている磁石２０も振動する。電磁誘導作用により、その磁石２０のまわりに配置されているコイル２２に電流が流れる。電流は、途中、電流電圧変換器で電圧信号に変換され、アンプ９７を経て増幅され、結合コンデンサ９９を経て、ローパスフィルタ９６にて高周波領域の雑音が除かれ、Ａ／Ｄ変換器９８でクロック入力があってＡ／Ｄ変換され、パルス符号変調器（ＰＣＭ）１０１で符号化される。符号化された音声データは圧縮伸張回路９０で専用のコーデックにより圧縮処理され、圧縮処理されたＡＶＩファイルの形式でメモリカード９４に記録される。
【００５９】
音声の再生について説明する。再生には、通常再生、プレ再生、スライドショー作成用再生がある。
【００６０】
再生のプロセスを説明する。
【００６１】
メモリカード９４から読み出された音声ファイルは、圧縮伸張回路９０で専用の伸張コーデックにより伸張処理され、信号処理部８０において信号処理化され、復号器１００で復号化され、Ｄ／Ａ変換器１０２で電圧信号としてのアナログ信号に変換される。変換された電圧信号はアンプ１０４で増幅され、途中、電流電圧変換器で電流信号に変換されて、スピーカ２１１のコイル２２２に流れる。コイル２２２に電流が流れると、磁石２２０が振動し、それに伴い磁石２２０に結合されているコーン２１８が振動し、音声を出力する。こうして、スピーカ２１１から音声として出力される。出力された音声は、スピーカ孔８を通じてカメラ１０の前方から発せられる。
【００６２】
録音したばかりでメモリカード９４にまだ記録されていない音声をプレ再生するときは、録音音声がＲＡＭ７８に一旦格納されているので、ＲＡＭ７８から音声ファイルを読み出す。
【００６３】
スライドショー作成用再生は、基本的には通常再生と同様であるが、後述するように、画像を音声ファイル中に挿入できる再生になる。
【００６４】
次に、スライドショーを作成する際の手順である、実際に音声ファイルの進行に合わせて音声ファイルに静止画画像ファイルを挿入する操作を説明する。
【００６５】
図３は、音声ファイルに静止画画像ファイルを挿入する際のＬＣＤパネル４上での操作画面を示した図である。
【００６６】
図４は、その操作の流れを示すフローチャートである。
【００６７】
まず、パワー及びモードスイッチ７を再生系モードに切り換える。再生系モードでは、メニュー／ＯＫボタン３０４によりスライドショー作成モードを選択する。
【００６８】
スライドショー作成モードを選択すると、ＬＣＤパネル４上でスライドショー用の音声を選択する画面がでてくる（画面５００、ステップ５０８）。ここでは、メモリカード９４に記録されている音声ファイルが３個存在し、選択スイッチ３００で「音声３．ａｖｉ［１０．１ｓｅｃ］」を選択し、メニュー／ＯＫボタン３０４を押して実行させる。音声ファイルは上述のとおり、ＡＶＩファイル形式で構成されている。
【００６９】
ＬＣＤパネル４では、スライドショー用画像選択の画面が表示される（画面５０２、ステップ５１０）。各静止画画像ファイルのサムネイル画像が例えば６個表示される。各静止画画像ファイルはＪＰＥＧ形式で記録されている。ここでは、「００１．ｊｐｇ」、「００３．ｊｐｇ」、「００５．ｊｐｇ」、「００６．ｊｐｇ」の４個の画像を選択したとする。
【００７０】
次に、選択した４個の画像のスライド表示順序を決定する（画面５０４、ステップ５１２）。メニュー／ＯＫボタン３０４で、その画像のスライド表示順位を決定する。画面５０４に示すとおり、「００５．ｊｐｇ」、「００１．ｊｐｇ」、「００６．ｊｐｇ」、「００３．ｊｐｇ」の順にしたとする。
【００７１】
選択した各画像のスライド表示時間を設定する（画面５０６、ステップ５１４）。すでに選択した音声ファイルは１０．１ｓｅｃの長さを有し、１秒毎にスライドショーの時間が選択できる。１０．１ｓｅｃの場合は、スライドショー時間を繰り上げ、１１ｓｅｃとする。スライド表示時間の設定には、順番が決定した画像を、メニュー／ＯＫボタン３０４を用いて音声ファイルの音声を流しながら順に音声ファイルに１フレーム／ｓｅｃの単位で挿入していく。ここでは、「００５．ｊｐｇ」を２ｓｅｃ、「００１．ｊｐｇ」を３ｓｅｃ、「００６．ｊｐｇ」を１ｓｅｃ、「００３．ｊｐｇ」を５ｓｅｃ、流すとする。
【００７２】
スライドショーに使用する画像が選択され、表示順序が決定され、表示時間も設定されると、スライドショーが出来上がり、出来上がったスライドショーを確認再生する（ステップ５１６）。すなわち、プレ再生する。プレ再生するときは、作成されたスライドショーの音声及び画像を含むＡＶＩファイルがＲＡＭ７８に一旦格納されているので、ＲＡＭ７８からこのＡＶＩファイルを読み出す。読み出してプレ再生したら、必要に応じて画像選択し直したり（ステップ５１０へ戻る）、画像順序を選択し直したり（ステップ５１２へ戻る）、スライド時間を設定し直したり（ステップ５１４）する。スライドショーをプレ再生した後は、画像変更のキャンセルを行い、元の画像は上書きしないでそのままの状態にしておく。
【００７３】
プレ再生したスライドショーがＯＫであれば、ＡＶＩファイル形式でスライドショーデータをメモリカード９４に保存する（ステップ５１８）。ステップはこれで終了する。
【００７４】
上述の例は、任意の時間設定で音声ファイルに静止画画像を挿入する場合である。その概念を図で表すと、図５（ａ）のようになる。
【００７５】
図５（ａ）は、任意の時間設定で音声ファイルに静止画画像を挿入する場合の概念図である。音声ファイルの音声シーケンスには、複数の静止画画像を挿入できるようにインデックスを異なる秒間隔などで挿入することができ、ＲＯＭ１０８にはインデックス挿入用のプログラムが格納されている。ただし、このインデックスも１ｓｅｃ単位で挿入可能である。
【００７６】
一方、等しい時間間隔で音声ファイルに静止画画像を挿入することも可能である。図５（ｂ）は、等間隔の時間設定で音声ファイルに静止画画像を挿入する場合の概念図である。この場合、上述のステップ５１４で、メニュー／ＯＫボタン３０４により等間隔で時間設定する旨の選択肢を選べば、自動的に等間隔で画像が音声ファイルに挿入される。
【００７７】
音声ファイルに画像ファイルが挿入される際のしくみを説明する。
【００７８】
図６は、音声ファイルの音声データに画像ファイルの画像データが挿入された場合のＡＶＩファイルの構造を示した図である。
【００７９】
同図に示すように、ＡＶＩファイルフォーマットの場合、静止画ファイルは先頭にヘッダ情報を有し、続いてＣｈｕｎｋ  の集合である実データが格納され、最後にインデックス（Ｉｎｄｅｘ  ）情報が付加されている。
【００８０】
ヘッダ情報は、ＡＶＩファイル全体のヘッダ情報と、画像データのヘッダ情報と、音声データのヘッダ情報とから成る。
【００８１】
実データのＣｈｕｎｋ  には、画像データのＣｈｕｎｋ  と音声データのＣｈｕｎｋ  の二種類がある。音声データのＣｈｕｎｋ  は、例えば、１６Ｃｈｕｎｋ  毎に１つの割合程度で挿入されていれば音声として聞こえるのに十分である。
【００８２】
本形態の場合、画像データ挿入前のＡＶＩファイルは音声ファイルとして構成され、Ｃｈｕｎｋ  が音声データですべて埋められていて音声シーケンスを形成している。音声シーケンスは、複数静止画挿入用にインデックス（静止画挿入用のタイミングマーク）が挿入可能になっている。
【００８３】
インデックスが挿入された箇所以降のＣｈｕｎｋ  は、静止画挿入の操作が行われると、音声データから画像データに代えられる。静止画データは、１ｓｅｃにつき１フレームとなっている。Ｃｈｕｎｋ  は、１ｓｅｃにつき画像が１フレームとなっており、２ｓｅｃの間、同一の画像を表示させる場合は、同じ画像データを２つのＣｈｕｎｋ  に入れる。
【００８４】
上記任意の間隔で静止画を挿入する場合は、１番目の「００５．ｊｐｇ」画像を挿入するためのインデックス１を１番目の音声データＣｈｕｎｋ  の次に挿入する。「００５．ｊｐｇ」画像は、２秒流されるので、「００５．ｊｐｇ」画像を内容とするフレーム番号＝１の画像データが２回連続して入れられる。
【００８５】
その後、音声データのＣｈｕｎｋ  が１つそのままの状態で存在しており、その音声データのＣｈｕｎｋ  の次に、２番目の「００１．ｊｐｇ」画像を挿入するためのインデックス２が挿入される。「００１．ｊｐｇ」画像は、３秒流されるので、「００１．ｊｐｇ」画像を内容とするフレーム番号＝２の画像データが３回連続して入れられる。そしてまた音声データのＣｈｕｎｋ  が１つそのままの状態で存在している。
【００８６】
以下、同様の要領でＣｈｕｎｋ  が画像データに置き換えられ、最後の「００３．ｊｐｇ」の画像データのＣｈｕｎｋ  がフレーム番号＝４として５回続けて入れられる。
【００８７】
ここでは、フレーム番号は音声データのＣｈｕｎｋ  を除いて画像データのＣｈｕｎｋ  の順番で定義されている。
【００８８】
ＡＶＩファイルの最後に付加されるＩｎｄｅｘ  情報には、当該ＡＶＩファイル中に格納されている全Ｃｈｕｎｋ  の種別（画像であるか音声であるかの区別）、位置（オフセット）、及び長さ（ＬＥＮＧＴＨ）がリストされている。
【００８９】
例えば、プリント対象となるシーンであるフレーム番号４の画像データのＩｎｄｅｘ  情報（Ｉｎｄｅｘ＃３５）  は、Ｃｈｕｎｋ  種別＝画像、位置（ＯＦＦＳＥＴ）  ＝０ｘ０００ＡＤ７３Ｅ、長さ（ＬＥＮＧＴＨ）＝０ｘ００００５６１Ｃ  となっている。
【００９０】
プリント装置（プリンタ）を使用して、図６の静止画ファイルをプリントする場合、プリント装置はヘッダを読みとばした後、先頭からＣｈｕｎｋ  数をカウントしながら読みとばしていき、プリント指定ファイル１４番目に記載されたファイル番号の画像データに到達した時、プリント対象の画像データを取得する。若しくは、最初にＡＶＩファイルの後部に記録されたＩｎｄｅｘ  情報から、プリント指定ファイルに記載されたフレーム番号のＣｈｕｎｋ  の位置（及び長さ）を読み取り、実データの当該Ｃｈｕｎｋ  にアクセスして、プリント対象の画像データを取得する。
【００９１】
その結果、製作されたスライドショーの静止画をプリンタにてプリントできる。
【００９２】
なお、等しい時間間隔で音声ファイルに静止画画像を挿入する場合も、上述の例に準じるが、同じＣｈｕｎｋ  数で画像データを入れることになる。
【００９３】
音声ファイルは、デジタルカメラ１０で録音して記録したものを用いてもよいし、外部機器で取り込んだ音声データをメモリカード９４に記録してそれを用いてもよい。
【００９４】
本形態によれば、パソコンなどの大型機器を使用せずにデジタルカメラのみで手軽に音付きスライドショーを作成、保存することができる。
【００９５】
また、デジタルカメラに外部機器との通信手段をつなげることで、さまざまな音楽、音声、画像が、デジタルカメラ上で音付きスライドショー化でき、さらに、デジタルカメラで作成、保存した音付きスライドショーデータをＡＶＩファイルごと外部機器に配信することもできる。
【００９６】
また、スライドショーに使用する画像を選択してから音声製作することもでき、この場合は、画像に合ったナレーションが挿入できる。
【００９７】
また、上述の形態では、ＡＶＩファイルを用いて音声データと画像データとを組み合わせたが、これに限られるものでなく、記録されている静止画データを記録されている音声ファイル上に挿入する実行命令をするスクリプトファイルをＲＯＭ等に格納しておいて、デジタルカメラ内で読み出した音声データと読み出した画像データとを組み合わせてスライドショーデータにすることもできる。
【００９８】
【発明の効果】
本発明によれば、デジタルカメラにおいて、音声シーケンスの複数箇所に静止画を挿入した音付きスライドショーデータを容易に作成できる。
【図面の簡単な説明】
【図１】（ａ）は、本発明の実施形態に係るデジタルカメラの正面斜視図、（ｂ）はその背面斜視図。
【図２】デジタルカメラの構成を示すブロック図。
【図３】音声ファイルに静止画画像ファイルを挿入する際のＬＣＤパネル上での操作画面を示した図。
【図４】音声ファイルに静止画画像ファイルを挿入する際の操作の流れを示すフローチャート。
【図５】（ａ）は、任意の時間設定で音声ファイルに静止画画像を挿入する場合の概念図、（ｂ）は、等間隔の時間設定で音声ファイルに静止画画像を挿入する場合の概念図。
【図６】音声ファイルの音声データに画像ファイルの画像データが挿入された場合のＡＶＩファイルの構造を示した図。
【符号の説明】
４…ＬＣＤパネル、７…パワー及びモードスイッチ、８…スピーカ孔、９…マイク孔、１０…デジタルカメラ、１１…マイク、８２…ＣＰＵ、９４…メモリカード、１０８…ＲＯＭ、２１１…スピーカ、３００…選択スイッチ、３０２…バックボタン、３０４…メニュー／ＯＫボタン
【図１】
2004297424.tif 000003
【図２】
2004297424.tif 000004
【図３】
2004297424.tif 000005
【図４】
2004297424.tif 000006
【図５】
2004297424.tif 000007
【図６】
2004297424.tif 000008